(57)【要約】【課題】回動支持柱を容易に姿勢変更ができ、掛け物の重さに基づく笠木付壁の上部のみに作用する無理な力によって笠木付壁に不具合が生じない物干装置を提供する。【解決手段】物干装置11は回動支持柱13を備え、この回動支持柱13の下端部を取付体12を介して笠木付壁１の下部に回動可能に取り付ける。回動支持柱13は、上端側が笠木付壁１から離れる離反方向への９０度未満の回動により傾斜姿勢となり、上端側が笠木付壁１に近づく接近方向への９０度未満の回動により鉛直姿勢となる。回動支持柱13の上端部には物干竿14を取り付ける。物干竿14は、回動支持柱13の鉛直姿勢時に笠木付壁１の笠木部６の竿収納凹部分７内に位置する。【選択図】図１
2008212275.tif 000002
【特許請求の範囲】
【請求項１】
笠木付壁の下部に下端側が回動可能に取り付けられ、上端側が前記笠木付壁から離れる離反方向への回動により傾斜姿勢となり、上端側が前記笠木付壁に近づく接近方向への回動により鉛直姿勢となる回動支持柱と、
この回動支持柱に取り付けられ、前記回動支持柱の傾斜姿勢時に使用位置に位置する物干竿と
を備えることを特徴とする物干装置。
【請求項２】
物干竿は、回動支持柱の鉛直姿勢時に笠木付壁の笠木部の下方の不使用位置に位置する
ことを特徴とする請求項１記載の物干装置。
【請求項３】
笠木付壁の笠木部は、下方に向って開口する竿収納凹部分を有し、
物干竿は、回動支持柱の鉛直姿勢時に、前記竿収納凹部分内に収納された状態となって不使用位置に位置する
ことを特徴とする請求項２記載の物干装置。
【請求項４】
回動支持柱は、その長手方向に沿って伸縮可能となっている
ことを特徴とする請求項１ないし３のいずれか一記載の物干装置。
【請求項５】
物干竿は、その長手方向に沿って伸縮可能となっている
ことを特徴とする請求項１ないし４のいずれか一記載の物干装置。
【請求項６】
回動支持柱を接近方向に向けて付勢する付勢手段を備える
ことを特徴とする請求項１ないし５のいずれか一記載の物干装置。
【請求項７】
回動支持柱の鉛直姿勢時には巻取状態にあり、前記回動支持柱の離反方向への回動により引き出され、回動支持柱の傾斜姿勢時に展開状態となって物干竿の上方部を覆うシート体を備える
ことを特徴とする請求項１ないし６のいずれか一記載の物干装置。
【請求項８】
笠木付壁の笠木部は、下方に向って開口するシート収納凹部分を有し、
前記シート収納凹部分内に巻取状態で収納された引き出し可能なシート体を備える
ことを特徴とする請求項１ないし７のいずれか一記載の物干装置。
【請求項９】
シート体は、係止部を先端側に有し、
回動支持柱および物干竿の少なくともいずれか一方は、前記係止部が係止される係止受部を有する
ことを特徴とする請求項８記載の物干装置。
【請求項１０】
笠木付壁の下部に下端側が回動可能に取り付けられ、上端側が前記笠木付壁の一方面から離れる離反方向への回動により傾斜姿勢となり、上端側が前記笠木付壁の一方面に近づく接近方向への回動により鉛直姿勢となる一方側回動支持柱と、
この一方側回動支持柱に取り付けられ、前記一方側回動支持柱の傾斜姿勢時に使用位置に位置する一方側物干竿と、
前記笠木付壁の下部に下端側が回動可能に取り付けられ、上端側が前記笠木付壁の他方面から離れる離反方向への回動により傾斜姿勢となり、上端側が前記笠木付壁の他方面に近づく接近方向への回動により鉛直姿勢となる他方側回動支持柱と、
この他方側回動支持柱に取り付けられ、前記他方側回動支持柱の傾斜姿勢時に使用位置に位置する他方側物干竿と
を備えることを特徴とする物干装置。
【請求項１１】
一方側回動支持柱の回動に応じて他方側回動支持柱を回動させる連動手段を備える
ことを特徴とする請求項１０記載の物干装置。
【請求項１２】
一方側物干竿は、一方側回動支持柱の鉛直姿勢時に笠木付壁の笠木部の下方の不使用位置に位置し、
他方側物干竿は、他方側回動支持柱の鉛直姿勢時に前記笠木付壁の前記笠木部の下方の不使用位置に位置する
ことを特徴とする請求項１０または１１記載の物干装置。
【請求項１３】
笠木付壁の笠木部は、それぞれ下方に向って開口する一方側竿収納凹部分および他方側竿収納凹部分を有し、
一方側物干竿は、一方側回動支持柱の鉛直姿勢時に、前記一方側竿収納凹部分内に収納された状態となって不使用位置に位置し、
他方側物干竿は、他方側回動支持柱の鉛直姿勢時に、前記他方側竿収納凹部分内に収納された状態となって不使用位置に位置する
ことを特徴とする請求項１２記載の物干装置。
【発明の詳細な説明】
【技術分野】
【０００１】
本発明は、洗濯物等の掛け物を干すための物干装置に関するものである。
【背景技術】
【０００２】
従来、例えばマンションや一戸建住宅等のベランダの笠木付壁の上部に上端部が回動可能に取り付けられ下端部に挿入孔が形成され下端側が笠木付壁から離反する離反方向への９０度回動により水平姿勢となり下端側が笠木付壁に近づく接近方向への９０度回動により鉛直姿勢となる回動支持柱と、回動支持柱の水平姿勢時に回動支持柱の挿入孔に挿入される物干竿とを備える物干装置が知られている（例えば、特許文献１参照）。
【特許文献１】特開２００５−１９２６７８号公報（図２等）
【発明の開示】
【発明が解決しようとする課題】
【０００３】
しかしながら、上記従来の物干装置では、使用する際に、使用者は、一旦屈んだ姿勢となって、回動支持柱を持ち上げるように９０度回動させなければならず、また使用後には回動支持柱を鉛直姿勢になるまで９０度回動させなければならず、回動支持柱の姿勢変更に手間取るおそれがある。
【０００４】
また、水平姿勢の回動支持柱の挿入孔に挿入した物干竿に例えば大量の洗濯物等の掛け物を掛けた場合に、その掛け物の重さに基づく無理な力が笠木付壁の上部のみに作用し、笠木付壁の柱部が変形する等、笠木付壁に不具合が生じるおそれもある。
【０００５】
本発明は、このような点に鑑みなされたもので、回動支持柱を容易に姿勢変更ができ、また掛け物の重さに基づく笠木付壁の上部のみに作用する無理な力によって笠木付壁に不具合が生じるようなことを抑制できる物干装置を提供することを目的とする。
【課題を解決するための手段】
【０００６】
請求項１記載の物干装置は、笠木付壁の下部に下端側が回動可能に取り付けられ、上端側が前記笠木付壁から離れる離反方向への回動により傾斜姿勢となり、上端側が前記笠木付壁に近づく接近方向への回動により鉛直姿勢となる回動支持柱と、この回動支持柱に取り付けられ、前記回動支持柱の傾斜姿勢時に使用位置に位置する物干竿とを備えるものである。
【０００７】
請求項２記載の物干装置は、請求項１記載の物干装置において、物干竿は、回動支持柱の鉛直姿勢時に笠木付壁の笠木部の下方の不使用位置に位置するものである。
【０００８】
請求項３記載の物干装置は、請求項２記載の物干装置において、笠木付壁の笠木部は、下方に向って開口する竿収納凹部分を有し、物干竿は、回動支持柱の鉛直姿勢時に、前記竿収納凹部分内に収納された状態となって不使用位置に位置するものである。
【０００９】
請求項４記載の物干装置は、請求項１ないし３のいずれか一記載の物干装置において、回動支持柱は、その長手方向に沿って伸縮可能となっているものである。
【００１０】
請求項５記載の物干装置は、請求項１ないし４のいずれか一記載の物干装置において、物干竿は、その長手方向に沿って伸縮可能となっているものである。
【００１１】
請求項６記載の物干装置は、請求項１ないし５のいずれか一記載の物干装置において、回動支持柱を接近方向に向けて付勢する付勢手段を備えるものである。
【００１２】
請求項７記載の物干装置は、請求項１ないし６のいずれか一記載の物干装置において、回動支持柱の鉛直姿勢時には巻取状態にあり、前記回動支持柱の離反方向への回動により引き出され、回動支持柱の傾斜姿勢時に展開状態となって物干竿の上方部を覆うシート体を備えるものである。
【００１３】
請求項８記載の物干装置は、請求項１ないし７のいずれか一記載の物干装置において、笠木付壁の笠木部は、下方に向って開口するシート収納凹部分を有し、前記シート収納凹部分内に巻取状態で収納された引き出し可能なシート体を備えるものである。
【００１４】
請求項９記載の物干装置は、請求項８記載の物干装置において、シート体は、係止部を先端側に有し、回動支持柱および物干竿の少なくともいずれか一方は、前記係止部が係止される係止受部を有するものである。
【００１５】
請求項１０記載の物干装置は、笠木付壁の下部に下端側が回動可能に取り付けられ、上端側が前記笠木付壁の一方面から離れる離反方向への回動により傾斜姿勢となり、上端側が前記笠木付壁の一方面に近づく接近方向への回動により鉛直姿勢となる一方側回動支持柱と、この一方側回動支持柱に取り付けられ、前記一方側回動支持柱の傾斜姿勢時に使用位置に位置する一方側物干竿と、前記笠木付壁の下部に下端側が回動可能に取り付けられ、上端側が前記笠木付壁の他方面から離れる離反方向への回動により傾斜姿勢となり、上端側が前記笠木付壁の他方面に近づく接近方向への回動により鉛直姿勢となる他方側回動支持柱と、この他方側回動支持柱に取り付けられ、前記他方側回動支持柱の傾斜姿勢時に使用位置に位置する他方側物干竿とを備えるものである。
【００１６】
請求項１１記載の物干装置は、請求項１０記載の物干装置において、一方側回動支持柱の回動に応じて他方側回動支持柱を回動させる連動手段を備えるものである。
【００１７】
請求項１２記載の物干装置は、請求項１０または１１記載の物干装置において、一方側物干竿は、一方側回動支持柱の鉛直姿勢時に笠木付壁の笠木部の下方の不使用位置に位置し、他方側物干竿は、他方側回動支持柱の鉛直姿勢時に前記笠木付壁の前記笠木部の下方の不使用位置に位置するものである。
【００１８】
請求項１３記載の物干装置は、請求項１２記載の物干装置において、笠木付壁の笠木部は、それぞれ下方に向って開口する一方側竿収納凹部分および他方側竿収納凹部分を有し、一方側物干竿は、一方側回動支持柱の鉛直姿勢時に、前記一方側竿収納凹部分内に収納された状態となって不使用位置に位置し、他方側物干竿は、他方側回動支持柱の鉛直姿勢時に、前記他方側竿収納凹部分内に収納された状態となって不使用位置に位置するものである。
【発明の効果】
【００１９】
本発明によれば、回動支持柱を容易に姿勢変更ができ、また掛け物の重さに基づく笠木付壁の上部のみに作用する無理な力によって笠木付壁に不具合が生じるようなことを抑制できる。
【発明を実施するための最良の形態】
【００２０】
本発明の物干装置の第１の実施の形態を図１ないし図４を参照して説明する。
【００２１】
図１ないし図３において、１は手摺壁等の笠木付壁で、この笠木付壁１は、例えばマンションやアパート等の共同住宅、一戸建住宅等の建物のベランダやバルコニー等の床面２に鉛直状に立設されている。
【００２２】
笠木付壁１は、建物のベランダやバルコニー等の床面２に鉛直状に立設され互いに離間対向する左右一対の柱部３を備えている。両柱部３の下部相互が水平方向長手状である左右方向長手状の連結部４にて連結され、この連結部４に複数の上下方向長手状の棒状部５が互いに等間隔をおいて立設されている。両柱部３の上端部間にわたって手摺部等の笠木部６が設けられている。
【００２３】
笠木部６は、平面視で略矩形状をなす左右方向長手状に形成されたもので、笠木部６の幅方向一端部、例えば建物側の幅方向端部には、柱部３より建物側に突出し下方に向って開口する断面略コ字状の突出部である竿収納凹部分７が笠木部６の全長にわたって長手状に形成されている。竿収納凹部分７は、互いに離間対向する鉛直状の前後一対の対向板部８と、両対向板部８の上端部相互を連結する水平状の連結板部９とにて構成されている。
【００２４】
そして、笠木付壁１には、洗濯物や布団等の掛け物Ａを干すための物干装置11が設けられている。
【００２５】
物干装置11は、笠木付壁１の柱部３の下部に下端側が取付金具等の取付体12を介して左右方向の軸部22を中心として回動可能でかつ上下動可能に取り付けられた左右一対で２本の上下方向長手状の回動支持柱13を備えている。この回動支持柱13は、上端側が笠木付壁１の柱部３の一方面である前面から離れて建物側に向う離反方向ａへの９０度未満の回動により傾斜姿勢となり、上端側が柱部３の前面に近づく接近方向ｂへの９０度未満の回動により鉛直姿勢となる。なお、回動支持柱13の離反方向ａおよび接近方向ｂへの９０度未満の回動角度は、例えば略３０度〜略６０度、好ましくは略３０度である。
【００２６】
また、物干装置11は、両回動支持柱13の上端側にこれら両回動支持柱13に跨った状態で取り付けられた左右方向長手状の１本の物干竿14とを備えている。この物干竿14は、両回動支持柱13の傾斜姿勢時には笠木部６から離れた位置であって掛け物Ａを掛けることが可能な使用位置に位置し、両回動支持柱13の鉛直姿勢時には上動により笠木付壁１の笠木部６の竿収納凹部分７内に略全体が収納された状態となって笠木部６の下方の不使用位置である収納位置に位置する。
【００２７】
取付体12は、互いに離間対向する左右一対の支持部である支持板部16を有し、各支持板部16は、笠木付壁１の柱部３の建物側の面である前面下部から前方に向って突出している。各支持板部16には長孔状の軸挿入用孔部17が形成され、この軸挿入用孔部17に回動支持柱13の下端側の軸部22が移動可能に挿入されている。軸挿入用孔部17は、下端ほど建物側である前側に位置するように上下方向に対してやや傾斜した急勾配の傾斜状長孔18と、この傾斜状長孔18の上端に連通され建物側とは反対の後方に向う円弧状孔19とにて構成されている。
【００２８】
回動支持柱13は、細長板状の柱本体部21を有し、この柱本体部21の下端部両側面から軸部22が突出し、この軸部22が取付体12の軸挿入用孔部17に挿入されている。軸部22は例えば通しボルト等にて構成されている。柱本体部21の左右方向長さ寸法（板厚寸法）は、笠木付壁１の柱部３の左右方向長さ寸法（板厚寸法）より小さい値である。柱本体部21の上端部には断面略円形状の物干竿14の左右方向端部が取り付けられている。
【００２９】
さらに、物干装置11は、回動支持柱13の傾斜姿勢時における傾斜角度α、つまり回動支持柱13の姿勢変更の際の回動角度を設定する設定手段26を備えている。設定手段26は、例えば回動支持柱13の離反方向への回動規制によって回動支持柱13の傾斜角度αを設定するストッパ手段としての可撓性線状部材であるチェーン27にて構成されている。チェーン27の一端部が回動支持柱13の柱本体部21の上下方向中間部に取り付けられ、チェーン27の他端部が笠木付壁１の柱部３の上下方向中間部に取り付けられている。なお例えば図示しないが、チェーン27等を有さず、回動支持柱13の下端部が笠木付壁１の柱部３の下端部に当接することで、回動支持柱13の離反方向への回動が規制されて回動支持柱13が傾斜姿勢に維持されるようにしてもよい。
【００３０】
次に、上記第１の実施の形態の物干装置11の作用等を説明する。
【００３１】
物干装置11を使用する場合、使用者は、立った姿勢で、図４（ａ）に示す不使用状態である収納状態から、鉛直姿勢の回動支持柱13を少し持ち上げた後、軸挿入用孔部17の傾斜状長孔18に沿って回動支持柱13および物干竿14の自重で下動させつつ少し前方に移動させることにより、物干竿14を笠木部６の竿収納凹部分７外に出して、図４（ｂ）に示す状態にする。
【００３２】
なお、図４（ａ）に示す収納状態では、回動支持柱13の軸部22が取付体12の軸挿入用孔部17の円弧状孔19に位置決めされた状態で、回動支持柱13が鉛直姿勢に維持され、物干竿14が笠木部６の竿収納凹部分７内に位置する。そして、回動支持柱13の持ち上げにより軸部22は円弧状孔19に沿って移動し、回動支持柱13の下降により軸部22は傾斜状長孔18の上端から下端まで移動する。
【００３３】
続いて、使用者は、立った姿勢で、図４（ｂ）に示す状態から、回動支持柱13および物干竿14の自重を利用して、鉛直姿勢の回動支持柱13を傾斜状長孔18の下端に位置決めされた軸部22を中心として離反方向に向けて９０度未満の回動、すなわち例えば略３０度回動させる。すると、回動支持柱13が鉛直姿勢から傾斜姿勢に姿勢変更し、図４（ｃ）に示す使用状態となる。この図４（ｃ）に示す使用状態では、物干竿14は所望の使用位置に位置し、この物干竿14に対して洗濯物等の掛け物Ａを掛けることができる。
【００３４】
使用後、物干装置11を図４（ａ）に示す収納状態に戻す場合、使用者は、立った姿勢で、回動支持柱13を軸部22を中心として接近方向に９０度未満の回動、すなわち例えば略３０度回動させて鉛直姿勢にした後、回動支持柱13を鉛直姿勢のまま持ち上げる。すると、回動支持柱13の軸部22が取付体12の軸挿入用孔部17の円弧状孔19に位置決めされ、物干竿14が笠木部６の竿収納凹部分７内に収納されて笠木部６の下方の不使用位置に位置する。
【００３５】
そして、第１の実施の形態の物干装置11によれば、建物側に向う離反方向への９０度未満の回動により回動支持柱13を傾斜姿勢にできるとともに接近方向への９０度未満の回動により回動支持柱13を鉛直姿勢にでき、しかもその回動操作の際に使用者は必ずしも屈んだ姿勢になる必要がないため、回動支持柱13を容易に姿勢変更ができ、簡単に使用状態および収納状態に切り換えることができる。
【００３６】
また、回動支持柱13の下端側が笠木付壁１の柱部３の下部に回動可能に取り付けられた構成であるため、洗濯物等の掛け物Ａの重さに基づく笠木付壁１の上部のみに作用する無理な力によって笠木付壁１に不具合が生じるようなこともなく、安全性に優れている。
【００３７】
さらに、不使用時である収納状態時に物干竿14を笠木付壁１の笠木部６の竿収納凹部分７内に収納できるため、物干竿14が汚れにくく、物干竿14が邪魔になるようなこともない。
【００３８】
次に、本発明の物干装置の第２の実施の形態を図５を参照して説明する。
【００３９】
図５に示す物干装置11では、回動支持柱13がその長手方向に沿って伸縮可能となっている。例えば回動支持柱13の柱本体部21は、取付体12にて軸部22を介して支持された中空状の第１柱部材31と、この第１柱部材31内に対して出入りする第２柱部材32と、この第２柱部材32を第１柱部材31に対して位置決め固定するねじ等の位置決め固定手段（図示せず）とを有している。第２柱部材32の上端部に物干竿14の端部が取り付けられている。回動支持柱13を最大に伸ばした状態時には、物干竿14は、笠木付壁１の笠木部６より高い位置に位置する。なお、その他の構成部材は第１の実施の形態の構成部材と同じである。
【００４０】
そして、この第２の実施の形態の物干装置11によれば、上記第１の実施の形態の作用効果に加え、傾斜姿勢の回動支持柱13の伸縮により洗濯物等の掛け物Ａの上下方向長さ寸法に応じて物干竿14の高さを変更でき、例えば掛け物Ａが床面２に擦って汚れるようなことを防止できる。
【００４１】
次に、本発明の物干装置の第３の実施の形態を図６を参照して説明する。
【００４２】
図６に示す物干装置11では、物干竿14がその長手方向に沿って伸縮可能となっている。例えば物干竿14は、左右方向両端部が回動支持柱13の上端部に取り付けられた中空状の第１竿部材36と、この第１竿部材36内に対して出入りする左右一対で２本の第２竿部材37と、各第２竿部材37を第１竿部材36に対してそれぞれ位置決め固定するねじ等の位置決め固定手段（図示せず）とを有している。なお、その他の構成部材は第１または第２の実施の形態の構成部材と同じである。
【００４３】
そして、この第３の実施の形態の物干装置11によれば、上記第１や第２の実施の形態の作用効果に加え、物干竿14の伸縮により洗濯物等の掛け物Ａの量に応じて物干竿14の長さを変更でき、例えば洗濯物等の掛け物Ａが多い場合にも適切に対応できる。
【００４４】
次に、本発明の物干装置の第４の実施の形態を図７および図８を参照して説明する。
【００４５】
図７および図８に示す物干装置11は、回動支持柱13をこの回動支持柱13が付勢力で軸部22を中心として接近方向ｂに回動するように接近方向ｂに向けて付勢する付勢手段41を備えている。付勢手段41は、例えば笠木付壁１の柱部３の前面に固着された板ばね42にて構成されている。板ばね42は湾曲面状の曲面部42aを有し、この曲面部42aが回動支持柱13の下端部に当接しており、この板ばね42の曲面部42aが回動支持柱13の離反方向ａへの回動によって弾性変形し、回動支持柱13が所望の傾斜姿勢となる。この状態で、物干竿14に洗濯物等の掛け物Ａを掛ければ、その掛け物Ａの重さで回動支持柱13の傾斜姿勢が維持される。洗濯物等の掛け物Ａを物干竿14から外すと、回動支持柱13は、板ばね42の弾性復元力による付勢力によって軸部22を中心として接近方向ｂに回動する。なお、その他の構成部材は第１の実施の形態の構成部材と同じである。
【００４６】
そして、この第４の実施の形態の物干装置11によれば、上記第１の実施の形態の作用効果に加え、回動支持柱13が付勢手段41である板ばね42の付勢力によって接近方向ｂに自動的に回動するため、回動支持柱13を接近方向ｂへ手動で回動させる必要がなく、きわめて簡単に収納状態にでき、また、図８に示すように掛け物Ａである布団等を笠木付壁１と物干竿14とによって所望の挟持圧で挟持して干すことができ、布団等の落下や飛ぶことを効果的に防止できる。
【００４７】
次に、本発明の物干装置の第５の実施の形態を図９を参照して説明する。
【００４８】
図９に示す物干装置11は、上記第４の実施の形態と同様、回動支持柱13をこの回動支持柱13が付勢力で軸部22を中心として接近方向ｂに回動するように接近方向ｂに向けて付勢する付勢手段46を備えている。付勢手段46は、回動支持柱13の傾斜姿勢時における傾斜角度α、つまり回動支持柱13の姿勢変更の際の回動角度を設定する設定手段を兼ねたものである。すなわち例えば付勢手段46は、例えば笠木付壁１の柱部３と回動支持柱13との間に掛け渡されたゴム紐やコイルばね等の弾性線状部材47にて構成されている。弾性線状部材47の一端部が回動支持柱13の柱本体部21の上下方向中間部に取り付けられ、弾性線状部材47の他端部が笠木付壁１の柱部３の上下方向中間部に取り付けられている。弾性線状部材47が回動支持柱13の離反方向ａへの回動によって伸び弾性変形し、例えば弾性線状部材47が最大に伸びきった状態で回動支持柱13が所望の傾斜姿勢となる。この状態で、物干竿14に洗濯物等の掛け物Ａを掛ければ、その掛け物Ａの重さで回動支持柱13の傾斜姿勢が維持される。洗濯物等の掛け物Ａを物干竿14から外すと、回動支持柱13は、弾性線状部材47の弾性復元力による付勢力によって軸部22を中心として接近方向ｂに回動する。なお、その他の構成部材は第１の実施の形態の構成部材と同じである。
【００４９】
そして、この第５の実施の形態の物干装置11によれば、上記第１の実施の形態の作用効果に加え、回動支持柱13が付勢手段41である弾性線状部材47の付勢力によって接近方向ｂに自動的に回動するため、回動支持柱13を接近方向ｂへ手動で回動させる必要がなく、きわめて簡単に収納状態にでき、また掛け物Ａである布団等を笠木付壁１と物干竿14とによって所望の挟持圧で挟持して干すことができ、布団等の落下や飛ぶことを効果的に防止できる。しかも、付勢手段46が回動支持柱13の傾斜姿勢時における傾斜角度αを設定する設定手段を兼ねたものであるため、別に設定手段を設けた構成に比べて、部品点数を少なくでき、構成の簡素化を図ることができる。
【００５０】
次に、本発明の物干装置の第６の実施の形態を図１０および図１１を参照して説明する。
【００５１】
図１０および図１１に示す物干装置11は、収納状態時である回動支持柱13の鉛直姿勢時には竿収納凹部分７内に収納され巻取軸52に略円筒状に巻き取られた巻取状態にあり、使用の際に回動支持柱13の離反方向ａへの回動により引き出され、使用状態時である回動支持柱13の傾斜姿勢時に平面状の展開状態となって物干竿14の上方部を覆う可撓性の雨よけシート等のシート体51を備えている。
【００５２】
シート体51の一端部である先端部が笠木付壁１の笠木部６の対向板部８に取り付けられ、シート体51の他端部である基端部が巻取軸52に取り付けられている。左右方向長手状の巻取軸52は、両回動支持柱13の上端側にこれら両回動支持柱13に跨った状態で回転可能に取り付けられ、付勢手段（図示せず）にてシート体51を巻き取る巻取方向に付勢されている。巻取軸52の端部が回動支持柱13の柱本体部21の上端部に回転可能に取り付けられ、物干竿14の端部が回動支持柱13の柱本体部21の上端部近傍つまり回動支持柱13の上端側に取り付けられている。なお、その他の構成部材は第１の実施の形態の構成部材と同じである。
【００５３】
そして、この第６の実施の形態の物干装置11によれば、上記第１の実施の形態の作用効果に加え、シート体51を回動支持柱13の離反方向ａへの回動により引き出して展開状態にし、その展開状態のシート体51にて物干竿14の上方部を覆うことができるため、シート体51が傘の役目を果たすこととなり、シート体51の下方に位置する物干竿14に掛けた洗濯物等の掛け物Ａが急な雨等で濡れてしまうことを防止でき、また洗濯物等の掛け物Ａを陰干しすることができる。
【００５４】
なお、この第６の実施の形態では、物干装置11の不使用時に物干竿14を笠木部６の竿収納凹部分７内に収納できないが、物干竿14を笠木部６の竿収納凹部分７の下方に位置させることができるため、物干竿14が笠木部６の下方に位置しない構成に比べて、物干竿14の汚れを防ぐことができる。
【００５５】
なお、例えば図示しないがシート体51を巻き取る巻取軸52を竿収納凹部分７内に回転可能に設け、シート体51の基端部をその巻取軸52に取り付け、シート体51の先端部を回動支持柱13の上端部に取り付けた構成等でもよい。また、シート体51が回動支持柱13の傾斜姿勢時における傾斜角度α、つまり回動支持柱13の姿勢変更の際の回動角度を設定する設定手段を兼ねた構成、シート体51が回動支持柱13を接近方向ｂに向けて付勢する付勢手段を兼ねた構成、或いは、シート体51がそれら設定手段および付勢手段の両方を兼ねた構成等でもよい。
【００５６】
次に、本発明の物干装置の第７の実施の形態を図１２および図１３を参照して説明する。
【００５７】
図１２および図１３に示す物干装置11では、回動支持柱13がその長手方向に沿って伸縮可能となっている。例えば回動支持柱13の柱本体部21は、取付体12にて軸部22を介して支持された中空状の第１柱部材31と、この第１柱部材31内に対して出入りする第２柱部材32と、この第２柱部材32を第１柱部材31に対して位置決め固定するねじ等の位置決め固定手段（図示せず）とを有している。第２柱部材32の上端部に巻取軸52の端部が回転可能に取り付けられ、物干竿14の端部が第２柱部材32の上端部近傍つまり回動支持柱13の上端側に取り付けられている。なお、その他の構成部材は第６の実施の形態の構成部材と同じである。
【００５８】
そして、この第７の実施の形態の物干装置11によれば、上記第６の実施の形態の作用効果に加え、傾斜姿勢の回動支持柱13の伸縮により洗濯物等の掛け物Ａの上下方向長さ寸法に応じて物干竿14の高さを変更でき、例えば掛け物Ａが床面２に擦って汚れるようなことを防止でき、また、シート体51の展開面積を増大でき、シート体51で洗濯物等の掛け物Ａの上方部を効果的に覆うことができる。
【００５９】
次に、本発明の物干装置の第８の実施の形態を図１４および図１５を参照して説明する。
【００６０】
図１４および図１５に示す物干装置11は、笠木付壁１の笠木部６のシート収納凹部分61内に巻取軸62に略円筒状に巻き取られた巻取状態で収納された引き出し可能な可撓性のシート体63を備えている。
【００６１】
笠木部６の突出部であるシート収納凹部分61は、物干竿14が収納される竿収納凹部分７を幅方向一端部に形成した笠木部６の幅方向他端部に、柱部３より反建物側に向って突出し下方に向って開口する断面略コ字状でかつ笠木部６の全長にわたって長手状に形成されている。シート収納凹部分61は、互いに離間対向する鉛直状の前後一対の対向板部64と、両対向板部64の上端部相互を連結する水平状の連結板部65とにて構成されている。巻取軸62は、シート収納凹部分61内に回転可能に設けられ、図示しない支持手段にて支持されている。巻取軸62は付勢手段（図示せず）にてシート体63を巻き取る巻取方向に付勢されている。
【００６２】
シート体63は、例えば網状の物干ネット等で、面ファスナ等の係止部66を先端側に有し、このシート体63の基端部が笠木部６のシート収納凹部分61内の巻取軸62に取り付けられている。また、回動支持柱13は、シート体63の展開状態時にシート体63の係止部66が係脱可能に係止される面ファスナ等の係止受部68を上端側に有している。例えば図示しないが、その係止受部68を物干竿14のみに設けたり、回動支持柱13と物干竿14との両方に設けたりしてもよい。なお、その他の構成部材は第１の実施の形態の構成部材と同じである。
【００６３】
そして、この第８の実施の形態の物干装置11によれば、上記第１の実施の形態の作用効果に加え、笠木部６のシート収納凹部分61内に収納したシート体63を引き出して係止部66を回動支持柱13の係止受部68に係止させることにより、シート体63を展開状態に維持でき、その展開状態のシート体63上に、例えば物干竿14に掛けることができない洗濯物Ｂを載せて干すことができ、またベランダ以外の別の収納スペースから物干ネット等のシート体を出してくる手間を省くことができる。なお、シート体63の種類によっては雨よけシートとして利用することも可能である。
【００６４】
次に、本発明の物干装置の第９の実施の形態を図１６を参照して説明する。
【００６５】
図１６に示す物干装置11は、笠木付壁１の下部の一方側である建物側に下端部が左右方向の軸部71を中心として回動可能に取り付けられた左右一対で２本の一方側回動支持柱72と、笠木付壁１の下部の他方側である反建物側に下端部が左右方向の軸部73を中心として回動可能に取り付けられた左右一対で２本の他方側回動支持柱74とを備えている。そして、一方側回動支持柱72は、上端側が笠木付壁１の柱部３の一方面である前面から離れて建物側に向う離反方向ａへの９０度未満の回動により傾斜姿勢となり、上端側が柱部３の前面に近づく接近方向ｂへの９０度未満の回動により鉛直姿勢となる。他方側回動支持柱74は、上端側が笠木付壁１の柱部３の他方面である後面から離れて反建物側に向う離反方向ａへの９０度未満の回動により傾斜姿勢となり、上端側が柱部３の後面に近づく接近方向ｂへの９０度未満の回動により鉛直姿勢となる。なお、一方側回動支持柱72および他方側回動支持柱74の離反方向ａおよび接近方向ｂへの９０度未満の回動角度は、各々例えば略３０度〜略６０度、好ましくは略３０度である。
【００６６】
また、物干装置11は、両一方側回動支持柱72の上端側にこれら両一方側回動支持柱72に跨った状態で取り付けられた左右方向長手状の１本の一方側物干竿76と、両他方側回動支持柱74の上端側にこれら両他方側回動支持柱74に跨った状態で取り付けられた左右方向長手状の１本の他方側物干竿77とを備えている。
【００６７】
そして、一方側物干竿76は、両一方側回動支持柱72の傾斜姿勢時には洗濯物等の掛け物Ａを掛けることが可能な使用位置に位置し、両一方側回動支持柱72の鉛直姿勢時には笠木部６の幅方向一端部である建物側端部の下方の不使用位置に位置する。他方側物干竿77は、両他方側回動支持柱74の傾斜姿勢時には掛け物Ａを掛けることが可能な使用位置に位置し、両他方側回動支持柱74の鉛直姿勢時には笠木部６の幅方向他端部である反建物側端部の下方の不使用位置に位置する。
【００６８】
また、笠木付壁１の笠木部６は柱部３に対して昇降可能となっており、笠木部６の幅方向一端部には柱部３より建物側に向って突出し下方に向って開口する断面略コ字状の一方側突出部である一方側竿収納凹部分７が形成され、笠木部６の幅方向他端部には柱部３より反建物側に向って突出し下方に向って開口する断面略コ字状の他方側突出部である他方側竿収納凹部分7aが形成されている。各竿収納凹部分７，7aは、互いに離間対向する鉛直状の前後一対の対向板部８，8aと、両対向板部８，8aの上端部相互を連結する水平状の連結板部９，9aとにて構成されている。
【００６９】
そして、一方側回動支持柱72および他方側回動支持柱74がいずれも鉛直姿勢である状態時に、笠木部６が下降すると、一方側物干竿76の全体が一方側竿収納凹部分７内に収納されると同時に、他方側物干竿77の全体が他方側竿収納凹部分7a内に収納される。
【００７０】
また一方、物干装置11は、建物側の一方側回動支持柱72の回動に応じて反建物側の他方側回動支持柱74を回動させる連動手段80を備えている。連動手段80は、一方側回動支持柱72の下端側の軸部71に固着された一方側歯車81と、他方側回動支持柱74の下端側の軸部73に固着され一方側歯車81に噛み合わされた他方側歯車82とにて構成され、これら両歯車81，82はカバー体83にて覆い隠されている。
【００７１】
また、物干装置11は、一方側回動支持柱72の傾斜姿勢時における傾斜角度α、つまり一方側回動支持柱72の姿勢変更の際の回動角度を設定する一方側設定手段86と、他方側回動支持柱74の傾斜姿勢時における傾斜角度α、つまり他方側回動支持柱74の姿勢変更の際の回動角度を設定する他方側設定手段87とを備えている。一方側設定手段86は、例えば一方側回動支持柱72の離反方向への回動規制によって一方側回動支持柱72の傾斜角度αを設定するストッパ手段としての可撓性線状部材である一方側チェーン88にて構成されている。一方側チェーン88の一端部が一方側回動支持柱72の細長板状の柱本体部84の上下方向中間部に取り付けられ、一方側チェーン88の他端部が笠木付壁１の柱部３の上下方向中間部に取り付けられている。他方側設定手段87は、例えば他方側回動支持柱74の離反方向への回動規制によって他方側回動支持柱74の傾斜角度αを設定するストッパ手段としての可撓性線状部材である他方側チェーン89にて構成されている。他方側チェーン89の一端部が他方側回動支持柱74の細長板状の柱本体部85の上下方向中間部に取り付けられ、他方側チェーン89の他端部が笠木付壁１の柱部３の上下方向中間部に取り付けられている。
【００７２】
そして、この第９の実施の形態の物干装置11によれば、上記第１の実施の形態の作用効果と同様、一方側回動支持柱72および他方側回動支持柱74を容易に姿勢変更ができ、また掛け物Ａの重さに基づく笠木付壁１の上部のみに作用する無理な力によって笠木付壁１に不具合が生じるようなこともなく、さらに不使用時に一方側物干竿76および他方側物干竿77が笠木部６の竿収納凹部分７，7a内に収納されるため、一方側物干竿76および他方側物干竿77が汚れにくく、一方側物干竿76および他方側物干竿77が邪魔になるようなこともない。しかも、建物側の一方側回動支持柱72の回動に応じて反建物側の他方側回動支持柱74を回動させる連動手段80を備えるため、反建物側の他方側回動支持柱74を回動操作することなくその姿勢を変更できる。
【００７３】
次に、本発明の物干装置の第１０の実施の形態を図１７を参照して説明する。
【００７４】
図１７に示す物干装置11では、笠木付壁１の笠木部６が柱部３に対して固定されている。そして、一方側物干竿76は、一方側回動支持柱72の鉛直姿勢時に笠木部６の幅方向一端部に形成された一方側突出部７の下方の不使用位置に位置し、他方側物干竿77は、他方側回動支持柱74の鉛直姿勢時に笠木部６の幅方向他端部に形成された他方側突出部7aの下方の不使用位置に位置する。なお、その他の構成部材は第９の実施の形態の構成部材と同じである。
【００７５】
そして、この第１０の実施の形態の物干装置11でも上記第９の実施の形態と同様の作用効果を奏することができる。なお、不使用時に物干竿76，77を笠木部６の突出部７，7a内に収納できないが、笠木部６の突出部７，7aで物干竿76，77の上方部を覆うことができるため、物干竿14の汚れを防ぐことができる。
【００７６】
なお、例えば図示しないが、回動支持柱72，74が鉛直姿勢のまま笠木付壁１の柱部３に対して連動手段80とともに昇降する構成とし、不使用時に物干竿76，77を笠木部６の突出部７，7a内に収納できるようにしてもよい。
【００７７】
また一方、上記第１ないし第８の実施の形態では、笠木付壁１の柱部３の下部一方側（建物側）にのみ回動支持柱13を取り付け、この回動支持柱13に物干竿14を取り付けた構成について説明したが、各実施の形態において、笠木付壁１の柱部３の下部一方側（建物側）および下部他方側（反建物側）に建物側に向って回動する回動支持柱（一方側回動支持柱）および反建物側に向って回動する回動支持柱（他方側回動支持柱）を設け、それら各回動支持柱に物干竿を設けるようにしてもよい。すなわち例えば図１８に示す第１１の実施の形態のように、第１の実施の形態の構成を適用し、笠木付壁１の柱部３の下部前後に回動支持柱13を取り付け、この前後の回動支持柱13のそれぞれに物干竿14を取り付けた構成等でもよい。
【００７８】
さらに、例えば各実施の形態を適宜組み合わせた構成でもよい。
【００７９】
また、例えば物干竿14，76，77を回動支持柱13，72，74にその長手方向にスライド可能に取り付けた構成でもよく、また物干竿14，76，77の本数も任意で１本でも複数本でもよい。
【００８０】
さらに、物干竿14，76，77を回動支持柱13，72，74に脱着可能に取り付けた構成でもよい。
【００８１】
また、物干竿14，76，77を回動支持柱13，72，74の上端側のみに取り付けた構成、上端側および下端側に取り付けた構成、或いは上端部、下端部および上下方向中間部に取り付けた構成等、物干竿の取付位置も任意である。
【００８２】
さらに、笠木付壁１の笠木部６の竿収納凹部分７，7aを上下動可能とし、竿収納凹部分７，7aを上動させることで、竿収納凹部分７，7a内に収納されていた物干竿14，76，77を竿収納凹部分７，7a外に出せるようにしてもよい。
【００８３】
また、いずれの実施の形態においても、回動支持柱13の鉛直姿勢には、厳密な意味での鉛直姿勢の他、鉛直方向に対してやや傾斜した略鉛直姿勢も含まれる。
【図面の簡単な説明】
【００８４】
【図１】本発明の第１の実施の形態に係る物干装置の斜視図である。
【図２】同上物干装置の側面図である。
【図３】同上物干装置の平面図である。
【図４】（ａ）〜（ｃ）は同上物干装置の動作説明図である。
【図５】本発明の第２の実施の形態に係る物干装置の側面図である。
【図６】本発明の第３の実施の形態に係る物干装置の平面図である。
【図７】本発明の第４の実施の形態に係る物干装置の側面図である。
【図８】同上物干装置の側面図である。
【図９】本発明の第５の実施の形態に係る物干装置の側面図である。
【図１０】本発明の第６の実施の形態に係る物干装置の側面図である。
【図１１】同上物干装置の側面図である。
【図１２】本発明の第７の実施の形態に係る物干装置の側面図である。
【図１３】同上物干装置の側面図である。
【図１４】本発明の第８の実施の形態に係る物干装置の側面図である。
【図１５】同上物干装置の側面図である。
【図１６】本発明の第９の実施の形態に係る物干装置の側面図である。
【図１７】本発明の第１０の実施の形態に係る物干装置の側面図である。
【図１８】本発明の第１１の実施の形態に係る物干装置の側面図である。
【符号の説明】
【００８５】
１    笠木付壁
６    笠木部
７    竿収納凹部分（一方側竿収納凹部分）
7a    他方側竿収納凹部分
11    物干装置
13    回動支持柱
14    物干竿
41，46    付勢手段
51，63    シート体
67    係止部
68    係止受部
72    一方側回動支持柱
74    他方側回動支持柱
76    一方側物干竿
77    他方側物干竿
80    連動手段
【図１】
2008212275.tif 000003
【図２】
2008212275.tif 000004
【図３】
2008212275.tif 000005
【図４】
2008212275.tif 000006
【図５】
2008212275.tif 000007
【図６】
2008212275.tif 000008
【図７】
2008212275.tif 000009
【図８】
2008212275.tif 000010
【図９】
2008212275.tif 000011
【図１０】
2008212275.tif 000012
【図１１】
2008212275.tif 000013
【図１２】
2008212275.tif 000014
【図１３】
2008212275.tif 000015
【図１４】
2008212275.tif 000016
【図１５】
2008212275.tif 000017
【図１６】
2008212275.tif 000018
【図１７】
2008212275.tif 000019
【図１８】
2008212275.tif 000020